(57)【要約】【課題】回転率を向上させるようにする。【解決手段】ユーザは、撮影用モニタ１４に表示される画面を確認しながら、撮影装置３１を駆動し、自らの画像を撮影する。撮影が終了したとき、編集入力用モニタ１８の前方へ移動することを促す画面が撮影用モニタ１４に表示されるため、ユーザはそれに従って移動する。撮影待ちをしていた他のユーザは、撮影を終えたユーザが編集用モニタの前に移動するのに併せて、撮影用モニタ１４の前方の空間に入場し、撮影を開始する。【選択図】図１
2011211714.tif 000002
【特許請求の範囲】
【請求項１】
撮影を行う撮影手段と、
前記撮影手段による複数回の撮影によって得られた撮影画像を表示する第１の表示手段と、
複数の前記撮影画像の中から選択された前記撮影画像を編集対象の画像として表示し、編集入力を受け付ける第２の表示手段と、
前記編集入力に基づいて、前記編集対象の画像として選択された前記撮影画像の編集を行う編集手段と、
前記編集手段により編集された前記撮影画像を所定の印刷媒体に印刷する印刷手段と
を備え、
前記第１の表示手段の前方の空間である撮影空間と、前記第２の表示手段の前方の空間である編集空間とが異なる位置に設けられ、
前記撮影空間における処理と、前記編集空間における処理とが並行して実行可能とされ、
前記撮影空間の位置を基準として、前記第２の表示手段が、前記第１の表示手段の後方に設けられる
画像印刷装置。
【請求項２】
前記画像印刷装置の所定の面を基準とし、
前記第１の表示手段は、前記画像印刷装置の正面に配置され、
前記第２の表示手段は、前記画像印刷装置の側面に配置される
請求項１に記載の画像印刷装置。
【請求項３】
前記画像印刷装置の所定の面を基準とし、
前記第１の表示手段は、前記画像印刷装置の正面に配置され、
前記第２の表示手段は、前記画像印刷装置の背面に配置される
請求項１に記載の画像印刷装置。
【請求項４】
前記第１の表示手段は、前記撮影空間において撮影が終了されたとき、前記編集空間への移動を案内する案内画面を表示する
請求項１乃至３のいずれかに記載の画像印刷装置。
【請求項５】
前記撮影空間において撮影が終了されたとき、前記編集空間において編集が行われているか否かを判定する判定手段と、
前記判定手段により前記編集空間において編集が行われていると判定されたとき、前記編集空間において行われている編集が終了するまでの期間、前記撮影空間において撮影を終了させたユーザに対して、所定の処理を実行させる実行手段と
をさらに備える請求項１乃至４のいずれかに記載の画像印刷装置。
【請求項６】
前記所定の処理は、前記撮影画像の撮り直しである
請求項５に記載の画像印刷装置。
【請求項７】
前記所定の処理は、所定のゲームである
請求項５に記載の画像印刷装置。
【請求項８】
前記撮影空間における撮影を案内する音声を出力する第１の出力手段と、
前記編集空間における編集を案内する音声を出力する第２の出力手段と
をさらに備える請求項１乃至７のいずれかに記載の画像印刷装置。
【請求項９】
撮影を行う撮影手段と、
前記撮影手段による複数回の撮影によって得られた撮影画像を表示する第１の表示手段と、
複数の前記撮影画像の中から選択された前記撮影画像を編集対象の画像として表示し、編集入力を受け付ける第２の表示手段と、
前記編集入力に基づいて、前記編集対象の画像として選択された前記撮影画像の編集を行う編集手段と、
前記編集手段により編集された前記撮影画像を所定の印刷媒体に印刷する印刷手段と
を備え、
前記第１の表示手段の前方の空間である撮影空間と、前記第２の表示手段の前方の空間である編集空間とが異なる位置に設けられ、
前記撮影空間における処理と、前記編集空間における処理とが並行して実行可能とされ、
前記撮影空間の位置を基準として、前記第２の表示手段が、前記第１の表示手段の後方に設けられる
画像印刷装置の画像印刷方法において、
前記撮影手段が、撮影を行い、
前記第１の表示手段が、前記撮影画像を表示し、
前記第２の表示手段が、前記編集対象の画像として選択された前記撮影画像を表示し、前記編集入力を受け付け、
前記編集手段が、前記編集入力に基づいて、前記編集対象の画像として選択された前記撮影画像の編集を行い、
前記印刷手段が、編集が行われた前記撮影画像を所定の印刷媒体に印刷する
ステップを含む画像印刷方法。
【発明の詳細な説明】
【技術分野】
【０００１】
本発明は、画像印刷装置および方法に関し、特に、回転率を向上させることができるようにした画像印刷装置および方法に関する。
【背景技術】
【０００２】
従来、ユーザの画像を撮影し、これを予め用意されたフレーム画像と合成してシール紙などに印刷して提供する画像印刷装置（例えば、プリントクラブ（商標））が知られている。
【０００３】
そして、この画像印刷装置には、ユーザは、撮影した画像上に付属のペンで任意の文字や図形などを書き込む（編集する）ことができるようになされているものも存在する。
【発明の概要】
【発明が解決しようとする課題】
【０００４】
しかしながら、このような画像上に書き込むことができる画像印刷装置においては、撮影した画像を確認する画面と、編集対象の画像を表示し、書き込み作業を行う画面とが同一の画面で構成されている。そのため、順番待ちをしているユーザは、先に使用しているユーザが編集までの一連の処理を終了するまで待たなければならないという課題がある。
【０００５】
また、待ち時間を短くするため、画像印刷装置のプログラムには、ユーザが満足するほど十分に、書き込み作業をする時間が確保されていないという課題もある。
【０００６】
さらに、画像印刷装置を管理する、例えば、ゲームセンターの側としても、ユーザの回転率が高いほど収益率が向上し、好ましい。
【０００７】
本発明はこのような状況に鑑みてなされたものであり、回転率を向上させることができるようにするものである。
【課題を解決するための手段】
【０００８】
本発明の画像印刷装置は、撮影を行う撮影手段と、前記撮影手段による複数回の撮影によって得られた撮影画像を表示する第１の表示手段と、複数の前記撮影画像の中から選択された前記撮影画像を編集対象の画像として表示し、編集入力を受け付ける第２の表示手段と、前記編集入力に基づいて、前記編集対象の画像として選択された前記撮影画像の編集を行う編集手段と、前記編集手段により編集された前記撮影画像を所定の印刷媒体に印刷する印刷手段とを備え、前記第１の表示手段の前方の空間である撮影空間と、前記第２の表示手段の前方の空間である編集空間とが異なる位置に設けられ、前記撮影空間における処理と、前記編集空間における処理とが並行して実行可能とされ、前記撮影空間の位置を基準として、前記第２の表示手段が、前記第１の表示手段の後方に設けられる。
【０００９】
第１の表示手段、および第２の表示手段は、例えば、図１に示すように、筐体１１の正面と側面にそれぞれ設けられる。また、図２２に示すように、筐体１１の正面と背面にそれぞれ設けるようにすることもできる。
【００１０】
撮影空間と編集空間とを異なった位置に設けることにより、例えば、順番待ちをしているユーザがいる場合、そのユーザは、先に撮影している他のユーザが撮影処理を終了し、編集空間に移動したとき、それとともに撮影空間に入場し、撮影を開始することができる。
【００１１】
以上のように構成することにより、順番待ちの時間を短縮することができ、それとともに、編集する時間を、ユーザが満足するほど十分に確保することができる。また、画像印刷装置を管理する管理者の側からしても、ユーザの回転率が向上するため、収益率を向上させることができる。
【００１２】
印刷媒体の取り出し口は、例えば、図１および図２２に示すように、第２の表示手段と同一の面に設置される。また、異なった面に設けるようにしてもよいし、離れた位置に設けるようにしてもよい。
【００１３】
印刷媒体の取り出し口が第２の表示手段と異なった面に設置される場合、ユーザは、筐体１１の正面側で撮影し、それを側面側に設けられている第２の表示手段で編集する。そして、編集済みの画像が印刷されたシールシートは、例えば、筐体１１の背面側に設けられている取り出し口から排出され、ユーザは、シールシートを受け取ることができる。こうすることにより、第２の表示手段と、取り出し口とが同一の面に設置されている場合に較べて、ユーザの回転率をより向上させることができる。
【００１４】
前記画像印刷装置の所定の面を基準とし、前記第１の表示手段を、前記画像印刷装置の正面に配置し、前記第２の表示手段を、前記画像印刷装置の側面に配置することができる。
【００１５】
例えば、図１の画像印刷装置１において、筐体１１の左側面にも、第２の表示手段を設けることにより、第２の表示手段を複数配置するようにしてもよい。
【００１６】
前記画像印刷装置の所定の面を基準とし、前記第１の表示手段を、前記画像印刷装置の正面に配置し、前記第２の表示手段を、前記画像印刷装置の背面に配置することができる。
【００１７】
前記第１の表示手段には、前記撮影空間において撮影が終了されたとき、前記編集空間への移動を案内する案内画面を表示させることができる。
【００１８】
例えば、図１６に示すような案内画面が第１の表示手段に表示される。また、編集空間が複数設けられており、それぞれに識別情報が設定されている場合、その識別情報も、案内画面に表示される。これによりユーザは、複数設けられている編集空間のうちの使用されていない編集空間に移動することができる。
【００１９】
前記撮影空間において撮影が終了されたとき、前記編集空間において編集が行われているか否かを判定する判定手段と、前記判定手段により前記編集空間において編集が行われていると判定されたとき、前記編集空間において行われている編集が終了するまでの期間、前記撮影空間において撮影を終了させたユーザに対して、所定の処理を実行させる実行手段とをさらに設けることができる。
【００２０】
前記所定の処理は、前記撮影画像の撮り直しであるようにすることができる。
【００２１】
前記所定の処理は、所定のゲームであるようにすることができる。
【００２２】
前記撮影空間における撮影を案内する音声を出力する第１の出力手段と、前記編集空間における編集を案内する音声を出力する第２の出力手段とをさらに設けることができる。
【００２３】
第１の出力手段と第２の出力手段は、同一の音を発生することもできるが、基本的に、第１の出力手段は、撮影方法を案内するガイダンスや撮影の効果音を出力し、第２の出力手段は、編集方法を案内するガイダンスや編集の効果音を出力する。
【００２４】
印刷媒体は、例えば、所定の枚数のシールからなるシールシートとされる。このシールシートは、それぞれが等しい大きさのシールからなるシートとすることもできるし、様々な大きさのシールからなるシートとすることもできる。当然、１枚の大きなシールであってもよい。なお、印刷媒体は、シールシートに限定されるものではなく、紙であってもよいし、例えば、フロッピディスクや不揮発性のフラッシュメモリを有する半導体メモリカードなどであってもよい。
【００２５】
本発明の画像印刷方法は、撮影を行う撮影手段と、前記撮影手段による複数回の撮影によって得られた撮影画像を表示する第１の表示手段と、複数の前記撮影画像の中から選択された前記撮影画像を編集対象の画像として表示し、編集入力を受け付ける第２の表示手段と、前記編集入力に基づいて、前記編集対象の画像として選択された前記撮影画像の編集を行う編集手段と、前記編集手段により編集された前記撮影画像を所定の印刷媒体に印刷する印刷手段とを備え、前記第１の表示手段の前方の空間である撮影空間と、前記第２の表示手段の前方の空間である編集空間とが異なる位置に設けられ、前記撮影空間における処理と、前記編集空間における処理とが並行して実行可能とされ、前記撮影空間の位置を基準として、前記第２の表示手段が、前記第１の表示手段の後方に設けられる画像印刷装置の画像印刷方法において、前記撮影手段が、撮影を行い、前記第１の表示手段が、前記撮影画像を表示し、前記第２の表示手段が、前記編集対象の画像として選択された前記撮影画像を表示し、前記編集入力を受け付け、前記編集手段が、前記編集入力に基づいて、前記編集対象の画像として選択された前記撮影画像の編集を行い、前記印刷手段が、編集が行われた前記撮影画像を所定の印刷媒体に印刷するステップを含む。
【発明の効果】
【００２６】
本発明によれば、回転率を向上させることができる。
【図面の簡単な説明】
【００２７】
【図１】本発明を適用した画像印刷装置の斜視図を示す図である。
【図２】図１の画像印刷装置の配置の例を示す図である。
【図３】撮影空間における各装置の配置例を示す図である。
【図４】ユーザの移動を示す図である。
【図５】図１の画像印刷装置の内部の構成例を示すブロック図である。
【図６】図１の画像印刷装置の処理を説明するフローチャートである。
【図７】図１の画像印刷装置の処理を説明する、図６に続くフローチャートである。
【図８】図１の撮影用モニタの表示例を示す図である。
【図９】図１の編集入力用モニタの表示例を示す図である。
【図１０】図１の撮影用モニタの他の表示例を示す図である。
【図１１】図１の撮影用モニタのさらに他の表示例を示す図である。
【図１２】図１の撮影用モニタの表示例を示す図である。
【図１３】図１の撮影用モニタの他の表示例を示す図である。
【図１４】図１の撮影用モニタのさらに他の表示例を示す図である。
【図１５】図１の撮影用モニタの表示例を示す図である。
【図１６】図１の撮影用モニタの他の表示例を示す図である。
【図１７】図１の撮影用モニタのさらに他の表示例を示す図である。
【図１８】図１の撮影用モニタの表示例を示す図である。
【図１９】図１の撮影用モニタの他の表示例を示す図である。
【図２０】図１の画像印刷装置の他の処理を説明するフローチャートである。
【図２１】図１の編集入力用モニタの表示例を示す図である。
【図２２】本発明を適用した他の画像印刷装置の斜視図を示す図である。
【図２３】ユーザの移動を示す図である。
【図２４】本発明を適用した画像印刷装置の構成例を示す図である。
【図２５】本発明を適用した画像印刷装置により作成される印刷媒体の例を示す図である。
【発明を実施するための形態】
【００２８】
図１は、本発明を適用した画像印刷装置１の構成例を示す斜視図である。
【００２９】
画像印刷装置１の筐体１１の面１１−１には、左上方に硬貨投入口１２が設けられており、ユーザは、画像印刷装置１を利用するとき、所定の金額を投入する。また、面１１−１の右上方には、撮影案内用スピーカ１３が設けられている。撮影案内用スピーカ１３は、各種の音声ガイダンスなどを出力し、ユーザに対して、撮影方法（シール作成の進行方法）を案内する。
【００３０】
面１１−１の中央上方にある、所定の角度だけ上方を向いた面１１−２には、CRT(Cathode Ray Tube)やLCD(Liquid Crystal Display)などよりなる撮影用モニタ１４が設置されている。撮影用モニタ１４は、撮影方法を案内する画面や、後述するように撮影装置３１により撮影された被写体の画像を表示する。
【００３１】
面１１−２の右側には、所定の角度だけ斜め上方を向いた面１１−３Rがあり、その面には、操作パネル１５が設置されている。操作パネル１５は、ユーザにより操作される各種の操作ボタンよりなり、例えば、CCD(Charge Coupled Device)カメラ３２のズームを調整するときなどに操作される。操作パネル１５には、例えば、撮影用モニタ１４に表示される各種の選択に対して、決定するとき操作される「○ボタン」、決定したものをキャンセルするとき操作される「×ボタン」、撮影用モニタ１４に表示されるカーソルなどを移動するとき操作される「＋ボタン」、「−ボタン」などが配置され、そのほか、撮影の開始を指示するとき操作される「撮影スタートボタン」などが適宜配置される。
【００３２】
また、面１１−２の左右には、床に対してほぼ垂直な面１１−４R，１１−４Lが設けられており、それぞれの面には、照明装置１６−１R，１６−１Lが配置される。照明装置１６−１R，１６−１Lは、内部に発光体（フラッシュ）を有しており、ユーザから撮影の開始が指示され、CCDカメラ３２が取り込む画像を静止画像として記憶するとき（キャプチャするとき）、そのタイミングに合わせて、被写体を照射する。
【００３３】
また、筐体１１の上面の面１１−５R，１１−５Lにも、面１１−４R，１１−４Lと同様に照明装置１６−２R，１６−２Lがそれぞれ配置されている。照明装置１６−２R，１６−２Lは、内部に発光体を有しており、照明装置１６−１R，１６−１Lが被写体を照射するタイミングで、発光体を発光させる。照明装置１６−２R，１６−２Lから照射された光（フラッシュ）は、フラッシュ反射板１７で反射され、被写体を照射する。すなわち、フラッシュ反射板１７は、筐体１１の正面にいるユーザを照射する方向に傾斜して取り付けられる。
【００３４】
筐体１１の上方には、撮影装置３１が設置されている。この撮影装置３１の所定の角度だけ斜め下方向を向いた面には、CCDカメラ３２、および小型のLCDなどよりなる取り込み画像表示部３３が配置されている。CCDカメラ３２は、被写体の画像を取り込み、その画像（動画像）は、取り込み画像表示部３３に表示される。取り込み画像表示部３３がCCDカメラ３２の近傍に設けられているため、ユーザは、取り込み画像表示部３３に表示されている自分の画像を確認しながら、視線をほぼCCDカメラ３２に向けた状態で撮影することができる。
【００３５】
筐体１１の左側面である面１１−６には、CRTやLCDなどよりなる編集入力用モニタ１８、編集案内用スピーカ１９、タッチペン２０、およびシール取り出し口２１が設けられている。
【００３６】
CCDカメラ３２で撮影され、編集する画像として選択され、保存された画像は、ユーザが撮影処理を終了した後、編集入力用モニタ１８に表示される。編集入力用モニタ１８には、タッチパネル９３（図５参照）が積層されており、ユーザは、編集入力用モニタ１８に表示されている画像に対して、タッチペン２０を操作することにより、編集対象の画像（以下、適宜、編集対象画像と称する）に任意の文字や図形などを書き込む（入力する）ことができる。
【００３７】
すなわち、ユーザは、筐体１１の正面（面１１−１）前方の場所（以下、適宜撮影空間と称する）で自分自身を撮影したのち、面１１−６の前方の場所（以下、適宜編集空間と称する）へ移動して、撮影した自分自身の画像を編集する。
【００３８】
編集入力用モニタ１８は、編集対象画像とともに、様々な編集ツールの選択ボタンなどを表示する。そして、編集入力用モニタ１８は、タッチペン２０で書き込みがされたとき、その入力に応じて生成した編集済みの画像を表示する。
【００３９】
編集案内用スピーカ１９は、ユーザに対して、編集の入力方法を説明する音声ガイダンスを出力する。
【００４０】
タッチペン２０は、編集入力用モニタ１８に積層されるタッチパネル９３の位置検出方式（例えば、抵抗膜式、超音波式など）に応じて構成され、編集に使用されないとき、図に示すように面１１−６に設置されている突起部に引っかけられる。
【００４１】
シール取り出し口２１は、所定の数、および大きさの複数のシールからなる、編集済みの画像が印刷されたシールシートを排出する。
【００４２】
図２は、図１の画像印刷装置１の配置例を示す図である。
【００４３】
筐体１１の正面（面１１−１）と対向する位置には、所定距離だけ離間して背景パネル５１が設置され、ユーザは、筐体１１と背景パネル５１の間の空間を撮影空間として、自分自身の画像を撮影する。なお、筐体１１の上面にはカーテンフレーム４１が水平方向に設置されており、カーテンフレーム４１には、撮影空間の内部が外部から見えないように、カーテン４２が取り付けられている。
【００４４】
また、筐体１１の面１１−６には、カーテンフレーム６１，６２が、その垂直方向に設置されており、その先端には面１１−６と対向してカーテン６２が取り付けられている。すなわち、編集を入力しているユーザ、および編集入力用モニタ１８に表示されている画像が外から見えないようになされている。
【００４５】
図３は、撮影空間における各装置の配置例を示す図である。なお、図３においては、説明の便宜上、図２に示したカーテンフレーム４１、カーテン４２、背景パネル５１、カーテンフレーム６１−１，６１−２、およびカーテン６２は省略されている。
【００４６】
撮影空間には、２段の階段と、その上部にある斜面により構成される撮影台７１が配置されており、ユーザは、この撮影台７１を利用して、様々なポーズを取って撮影を楽しむことができる。また、撮影台７１の近傍には、筐体１１に設置されている操作パネル１５と同様の操作ボタンが配置される撮影台用操作パネル７２が設置されている。すなわち、ユーザは、筐体１１（操作パネル１５）に近づかなくても、撮影台用操作パネル７２の操作ボタンを操作して撮影することができる。
【００４７】
撮影台用操作パネル７２から入力された各種の情報は、床下にあるケーブル７３を介して画像印刷装置１に供給される。
【００４８】
図４は、図２を上方から見た場合の配置例を示す図であり、この図を参照してユーザの移動について説明する。なお、斜線部１４は撮影用モニタ１４がその面に設置されることを、斜線部１８は編集入力用モニタ１８がその面に設置されることをそれぞれ示している。
【００４９】
図４においては、白抜き矢印がユーザの進行方向を示しており、撮影をするとき、ユーザは、筐体１１と背景パネル５１の間の撮影空間に入場し、撮影台７１を利用して様々なポーズを取って撮影する。
【００５０】
撮影空間での撮影が終了したとき、撮影用モニタ１４には、編集空間への案内画面が表示されるため、ユーザはこの案内に従って、白抜き矢印で示すように、撮影空間から出場して編集空間へ入場する。そして、編集対象画像に対して編集した後、ユーザは、シール取り出し口２１から排出されるシールシートを受け取る。
【００５１】
このように、撮影空間と編集空間とを異なる位置に設けることにより、次に順番待ちをしているユーザがいる場合、そのユーザは、それまで撮影空間で撮影をしていたユーザと入れ替わりに撮影空間に入場し、撮影を開始することができる。そのため、撮影の待ち時間を短縮することができ、それとともに、編集する時間を長く設定することができる。その結果、画像印刷装置１を管理する管理者の側からすれば、ユーザの回転率が向上することとなり、収益率が向上する。
【００５２】
図５は、図１の画像印刷装置１の内部の構成例を示すブロック図である。図１乃至図４において説明した部分についてはその説明は省略する。
【００５３】
CPU（Central Processing Unit）８１は、ROM（Read Only Memory）８２に記憶されているプログラム、または、プログラム記憶部８４からRAM（Random Access Memory）８３にロードしたプログラムに従って画像印刷装置１の全体の動作をバス９０を介して制御する。RAM８３にはまた、CPU８１が各種の処理を実行する上において必要なデータなどが適宜記憶される。
【００５４】
プログラム記憶部８４は、ハードディスクやそのドライブからなり、CPU８１が実行する様々なプログラムなどを記憶する。ドライブ８５は、フロッピディスクやハードディスクなどの磁気ディスクや、CD-ROM，DVDなどの光ディスクなどの記録媒体に記憶されているプログラムを読み出し、バス９０を介してプログラム記憶部８４などに供給する。例えば、ドライブ８５からは、被写体の画像と合成する新たなフレーム画像などが供給される。
【００５５】
撮影装置３１の内部には、上述したCCDカメラ３２および取り込み画像表示部３３の他に、CCDカメラ制御部８６が配置されている。CCDカメラ制御部８６は、ユーザが操作パネル１５、または撮影台用操作パネル７２を操作することにより入力したCCDカメラ３２の調節要求に応じて、CCDカメラ３２のズーム率、取り込む光量などを制御する。
【００５６】
キープ画像記憶部８７は、ユーザが撮影し、編集する画像として選択した画像を所定の枚数だけ記憶する。例えば、キープ画像記憶部８７は、キープ画像（編集対象画像）を６枚まで記憶する。
【００５７】
硬貨処理部８８は、硬貨投入口２１から投入された硬貨をカウントし、画像の作成代金として予め設定されている所定の金額が投入されたと判定したとき、それをCPU８１に通知する。
【００５８】
プリンタ８９は、所定の数、および大きさに分割されたシールのシールシートを複数種類ストックし、ユーザから選択されたシールシートに、編集済みの画像を印刷する。プリンタ８９により印刷されたシールシートは、シール取り出し口２１から排出され、ユーザに提供される。
【００５９】
音声出力制御部９１は、CPU８１からの制御に基づいて撮影案内用スピーカ１３を制御し、撮影方法などを説明する各種の音声ガイダンスや、例えば、静止画像を取り込むときのシャッター音などの効果音を出力する。一方、音声出力制御部９４は、編集案内用スピーカ１９を制御し、編集方法などを説明する各種の音声ガイダンスや、画像に書き込むときに発生される効果音などを出力する。このように、撮影案内用スピーカ１３と編集案内用スピーカ１９には、必要に応じてそれぞれ異なる音が出力される。
【００６０】
表示プロセッサ９２は、撮影処理が終了し、ユーザが編集を開始するとき、キープ画像記憶部８７からバス９０を介して転送されてくるキープ画像を内蔵するメモリ９２Aに記憶する。そして、表示プロセッサ９２は、タッチパネル９３において編集入力がされたとき、編集対象画像上における、その入力位置を検出し、編集対象画像に反映させて編集入力用モニタ１８に表示させる。なお、図５においては、編集入力用モニタ１８とタッチパネル９３は別の位置に示されているが、実際には積層して配置されている。
【００６１】
次に、図６および図７のフローチャートを参照して、図１の画像印刷装置１の画像印刷処理について説明する。また、必要に応じて図８乃至図１９を参照して説明する。
【００６２】
ステップS１において、CPU８１は、プログラム記憶部８４に記憶されている、撮影の進行方法などのデモンストレーション画面（以下、デモ画面と称する）を、撮影用モニタ１４に表示させるとともに、表示プロセッサ９２を制御し、編集入力用モニタ１８に表示させる。
【００６３】
図８は、撮影用モニタ１４に表示されるデモ画面の例を示す図であり、この表示例においては、「お金を入れてね」のメッセージが表示されている。また、図９は、編集入力用モニタ１８に表示されるデモ画面の例を示す図であり、撮影し、編集対象画像として選択された画像が編集入力用モニタ１８に表示されるため、「撮影から始めてね」のメッセージが表示される。
【００６４】
ステップS２において、CPU８１は、硬貨処理部８８からの出力に基づいて、所定の代金（シールシートの作成代金）が投入されたか否かを判定し、投入されたと判定するまでデモ画面を表示して待機する。一方、CPU８１は、代金が投入されたと判定した場合、ステップS３に進み、各種の機能や撮影方法を説明する説明画面を撮影用モニタ１４に表示する。なお、硬貨が投入されることに応じて、取り込み画像表示部３３には、CCDカメラ３２が撮影している動画像が表示される。
【００６５】
図１０は、撮影用モニタ１４に表示される説明画面の例を示す図であり、撮影する画像を縦長の画像とするか、横長の画像とするかを選択する画面とされている。なお、「＋／−ボタンで選んでね」のメッセージが表示されており、ユーザは、操作パネル１５、または撮影台用操作パネル７２の「＋ボタン」を操作した場合、縦長の画像を撮影することができ、「−ボタン」を操作した場合、横長の画像を撮影することができる。また、画面の右上には、残りの撮影可能枚数（キープ画像の枚数）が「６枚」として表示されている。
【００６６】
図１１は、撮影用モニタ１４に表示される説明画面の他の例を示す図であり、例えば、図１０において撮影する画像の方向が選択された後、表示される。この例においては、「ズームの調整を＋／−ボタンでしてね。用意ができたらスタートボタンを押してね」のメッセージが表示されており、ユーザは、操作パネル１５、または撮影台用操作パネル７２の「＋ボタン」、および「−ボタン」を操作することにより、CCDカメラ３２のズーム調整を行うことができる。
【００６７】
ステップS４において、CPU８１は、図１０および図１１に示したような説明画面に応じて、ユーザからCCDカメラ３２を調整することが入力されたとき、その入力に基づいてCCDカメラ制御部８６を制御する。例えば、図１０に示すような説明画面において「＋ボタン」が選択されたとき、CCDカメラ制御部８６は、CPU８１からの指示に基づいて、取り込む画像を縦長の画像とするようにCCDカメラ３２を制御する。
【００６８】
CPU８１は、ステップS５において、操作パネル１５、または撮影台用操作パネル７２からの出力に基づいて、撮影を開始するとき操作される撮影スタートボタンが操作されたか否かを判定し、まだ操作されていないと判定した場合、ステップS３に戻り、それ以降の処理を繰り返し実行する。一方、CPU８１は、撮影スタートボタンが操作されたと判定した場合、ステップS６に進み、撮影用モニタ１４にカウントダウンインジケータを表示させ、撮影するタイミングとなったとき、CCDカメラ３２により撮影されている画像を記憶する。
【００６９】
図１２は、ステップS６において撮影用モニタ１４に表示される表示画面の例を示す図である。図に示すように、カウントダウンインジケータ１０１が表示され、例えば、左側の信号から順に点灯が開始され、１番右側の信号が点灯されたとき、CCDカメラ３２により撮影されている画像が記憶される。なお、この例においては、撮影するタイミングと同時に、「はい、ポーズ！」のメッセージが表示されている。
【００７０】
撮影するタイミングとなったとき、CPU８１は、照明装置１６−１L，１６−１R、および照明装置１６−２L，１６−２Rを制御してフラッシュを被写体に照射するとともに、その瞬間にCCDカメラ３２により取り込まれている画像を、静止画像として保存し、キープ画像記憶部８７に記憶させる。
【００７１】
ステップS７において、CPU８１は、ステップS６で撮影した画像の確認画面を撮影用モニタ１４に表示させる。
【００７２】
図１３は、画像確認画面の例を示す図であり、撮影用モニタ１４のほぼ中央に、ステップS６で撮影した画像が表示され、その上に、「これでいいかな？○／×ボタンを押してね」のメッセージが表示されている。ユーザは、表示されている画像をキープ画像として保存するか否かを、操作パネル１５、または撮影台用操作パネル７２の「○ボタン」または「×ボタン」を操作することにより選択することができる。
【００７３】
そして、CPU８１は、ステップS８で、操作パネル１５、または撮影台用操作パネル７２からの入力に基づいて、キープ画像として保存することが指示されたか否かを判定し、指示されていない（「×ボタン」が操作された）と判定した場合、ステップS９に進み、ステップS６で撮影し、キープ画像記憶部８７に記憶されている画像を消去する。そして、ステップS３に戻り、それ以降の処理が繰り返し実行される。
【００７４】
一方、CPU８１は、ステップS８において、キープ画像として保存することが選択された（「○ボタン」が操作された）と判定した場合、ステップS１０に進み、その画像をキープ画像に追加する。
【００７５】
そして、ステップS１１において、CPU８１は、キープ画像として追加した画像の明るさを調整する明るさ調整画面を撮影用モニタ１４に表示させる。
【００７６】
図１４は、ステップS１１で撮影用モニタ１４に表示される明るさ調整画面の例を示す図である。この例においては、キープ画像として保存された画像が画面のほぼ中央に表示され、その下に、明るさのレベルを指定するボタンが表示されている。また、画面の上部には、「明るさを＋／−ボタンで調整してね。よければ○ボタンを押してね。」のメッセージが表示されており、ユーザは、操作パネル１５、または撮影台用操作パネル７２の「＋ボタン」または「−ボタン」を操作し、カーソル１１１を移動させて明るさを調整する。なお、ステップS１０でキープ画像が選択されたため、図１４の右上方に示すように、残り撮影可能枚数が１だけ減算されて、例えば、「５枚」とされる。
【００７７】
CPU８１は、操作パネル１５からの入力に応じて、キープ画像の明るさを調整し、「○ボタン」が操作されたとき、そのレベルの明るさでキープ画像をキープ画像記憶部８７に保存し、ステップS１２に進む。
【００７８】
ステップS１２において、CPU８１は、キープ画像記憶部８７に記憶されているキープ画像の枚数を確認し、残り撮影可能枚数が「０枚」となったか、または操作パネル１５、撮影台用操作パネル７２からの出力に基づいて、「撮影終了ボタン」が操作されたか否かを判定し、残り撮影可能枚数が「０枚」でない、かつ、「撮影終了ボタン」が操作されていないと判定した場合、ステップS３に戻り、同様の撮影処理を繰り返し実行する。
【００７９】
CPU８１は、ステップS１２において、残り撮影可能枚数が「０枚」となった、または「撮影終了ボタン」が操作されたと判定した場合、ステップS１３に進み、シールシートの分割数の選択画面を撮影用モニタ１４に表示させる。このシールシートは、所定の数、および大きさに分割された複数のシールの組み合わせからなり、複数種類のパターンがプリンタ８９に予め用意されている。
【００８０】
図１５は、ステップS１３で撮影用モニタ１４に表示される分割数選択画面の例を示す図である。この例においては、画面の上部に、「分割数を選択してね。＋／−ボタンで選んで○ボタンで決定してね。」のメッセージが表示されており、ユーザは、操作パネル１５の「＋ボタン」、または「−ボタン」を操作することによりカーソル１２１を移動させて、好みの分割数のシールシートを選択できる。なお、ユーザは、１枚のシールシートを様々な大きさのシールに分割する「混合分割」、１枚のシールシートをそれぞれが等しい大きさの３２個のシールに分割する「３２分割」、１枚のシールシートをそれぞれが等しい大きさの２５個のシールに分割する「２５分割」、１枚のシールシートをそれぞれが等しい大きさの９個のシールに分割する「９分割」のうちから、好みの分割数のシールシートを選択することができるようになされている。なお、さらに複数のパターンからシールシートを選択できる場合、図に示すように、画面の左右に矢印でそれが示される。
【００８１】
そして、シールシートが選択されたとき、CPU８１は、ステップS１４に進み、表示プロセッサ９２の動作状態を確認し、編集空間において編集処理を行っている他のユーザがいるか否か、または、プリンタ８９の動作状態を確認し、編集済みの画像をシールシートに印刷している途中であるか否かを判定する。CPU８１は、編集処理を実行していない、かつ印刷処理を実行していないと判定した場合、ステップS１５に進み、編集処理の案内画面を撮影用モニタ１４に表示させる。
【００８２】
図１６は、ステップS１５において表示される案内画面の例を示す図であり、この例においては、画像印刷装置１の外観とともに、矢印で編集空間への移動を促す画面と、「落書き（編集）は横でできるよ。外に出て落書きしてね。」のメッセージが表示されている。ユーザは、この画面を確認し、撮影空間を出て、編集空間に移動する。なお、順番待ちをしているユーザがいる場合、そのユーザは、先に撮影をしているユーザが撮影空間から出て編集空間に移動するのと入れ替わりに、撮影空間に入場し、撮影処理を開始することができる。
【００８３】
そして、撮影用モニタ１４に表示される案内画面に応じて、編集空間に移動したユーザは、ステップS１６において、キープ画像の編集処理を実行する。
【００８４】
一方、ステップS１４において、CPU８１は、例えば、先に撮影を行った他のユーザが、編集空間において編集処理を実行していると認識した場合、ステップS１７に進み、キープ画像の撮り直しを行うか否か、またはゲームを行うか否かの選択画面を撮影用モニタ１４に表示させる。
【００８５】
図１７は、ステップS１７において撮影用モニタ１４に表示される選択画面の例を示す図である。この例においては、「＋／−ボタンでどちらかを選んで○ボタンをおしてね。」のメッセージが表示されており、ユーザは、操作パネル１５、または撮影台用操作パネル７２の「＋ボタン」を操作することによりキープ画像の撮り直しを行うことができ、「−ボタン」を操作することによりゲーム（もぐら叩き）を行うことができるとされている。編集処理を行うまでの待ち時間に、キープ画像の撮り直しやゲームができるようにすることにより、待っているユーザは、先に編集処理を行っているユーザが編集処理、および印刷処理を終えるまで退屈せずに待つことができる。
【００８６】
ステップS１８において、CPU８１は、操作パネル１５からの入力に基づいて、キープ画像の撮り直しが選択されたか否か（上述した例の場合、「＋ボタン」が操作されたか否か）を判定し、キープ画像の撮り直しが選択されたと判定した場合、ステップS１９に進む。
【００８７】
CPU８１は、ステップS１９において、撮り直す画像の選択画面を撮影用モニタ１４に表示し、ユーザに選択させる。図１８は、撮り直す画像の選択画面の例を示す図であり、図に示すように、キープ画像記憶部８７に記憶されているキープ画像が表示される。図１８の例においては、「どれを撮りなおす？＋／−ボタンで選択して、○ボタンで決定してね。」のメッセージが表示されており、ユーザは、既に撮影したキープ画像の中から、１枚を消去して、撮り直すことができる。なお、ユーザが、キープ画像が撮影可能枚数の全てを満たす前に（上述した例の場合、「６枚」のキープ画像を撮影する前に）「撮影終了ボタン」を操作することにより撮影を終了させた場合、この消去する画像の選択画面は、表示されないようにしてもよい。
【００８８】
そして、CPU８１は、ステップS２０に進み、操作パネル１５、または撮影台用操作パネル７２からの出力に基づいて、撮り直す画像（消去する画像）が選択されたか否かを判定し、選択されていないと判定した場合、ステップS１９に戻り、選択されるまで待機する。一方、CPU８１は、ステップS２０で、画像が選択されたと判定した場合、ステップS２１に進み、キープ画像記憶部８７を制御し、選択された画像を消去するとともに、図１２を参照して説明したようなカウントダウンインジケータ１０１を撮影用モニタ１４に表示させ、撮影するタイミングとなったとき、撮影する。その後、画像の確認画面（図１３）などが表示され、上述したものと同様の処理が実行される。
【００８９】
ステップS２２において、CPU８１は、ステップS１４の場合と同様に、編集処理または印刷処理を実行中であるか否かを判定し、例えば、先に撮影を行ったユーザが、まだ編集空間にいると判定した場合、ステップS１９に戻り、それ以降の処理を繰り返し実行する。
【００９０】
一方、ステップS１８において、CPU８１は、操作パネル１５、または撮影台用操作パネル７２からの入力に基づいて、キープ画像の撮り直しが選択されていない（ゲーム（もぐら叩き）が選択された）と判定した場合、ステップS２３に進み、撮影用モニタ１４にゲーム画面を表示させる。
【００９１】
図１９は、撮影用モニタ１４に表示されるゲーム画面（もぐら叩き画面）の例を示す図である。この例においては、ユーザは、操作パネルの「○ボタン」、「×ボタン」、「＋ボタン」、「−ボタン」を操作することによりハンマー１４１を移動させ、もぐら叩きゲームができるようになされている。
【００９２】
そして、所定の時間が経過した後（または、ゲームが終了した後）、CPU８１は、ステップS２４に進み、編集処理または印刷処理を実行中であるか否かを判定し、例えば、先に撮影処理を行ったユーザが、まだ編集空間にいると判定した場合、ステップS２３に戻り、それ以降の処理を繰り返し実行する。
【００９３】
なお、CPU８１は、ステップS２２およびS２４において、先に撮影を行ったユーザが編集処理または印刷処理を実行中であると判定したとき、ステップS１７に戻り、それ以降の処理を繰り返し実行するようにしてもよい。これにより、例えば、ゲームに飽きたユーザは、キープ画像の撮り直しを行うことができ、編集処理までの時間を退屈せずに待つことができる。
【００９４】
ステップS２２、またはステップS２４において、CPU８１は、撮り直し処理、またはゲーム処理を行っている間に、編集を行っていたユーザが編集を終了させ、シールシートを受け取って編集空間からいなくなったと判定した場合、ステップS１５に進み、それ以降の処理を実行する。すなわち、撮影用モニタ１４に編集空間への移動を促す案内画面が表示され、これを確認したユーザは、編集空間に移動し、キープ画像の編集処理を実行する。
【００９５】
ステップS１６において画像の編集処理が終了され、シールシートに編集済みの画像が印刷された後、処理はステップS１に戻り、それ以降の処理が繰り返し実行される。なお、撮影を終えたユーザが編集処理を行っている間に、他のユーザが撮影処理を開始した場合、ステップS１以降の処理がステップS１６の編集処理と並行して実行される。
【００９６】
次に、図２０のフローチャートを参照して、図７のステップS１６において実行される画像編集処理について説明する。
【００９７】
ステップS３１において、表示プロセッサ９２は、キープ画像データがバス９０を介してキープ画像記憶部８７から転送されてきたか否かを判定し、転送されてきたと判定するまで待機する。すなわち、撮影処理が終了され、編集処理が開始されるとき、CPU８１は、キープ画像記憶部８７に記憶されているキープ画像を表示プロセッサ９２に転送させる。表示プロセッサ９２は、ステップS３１で、キープ画像データが転送されてきたと判定した場合、ステップS３２に進み、それを内蔵するメモリ９２Aに記憶する。
【００９８】
ステップS３３において、表示プロセッサ９２は、編集入力用モニタ１８に編集画面を表示する。
【００９９】
図２１は、編集入力用モニタ１８に表示される編集画面の例を示す図である。編集画面は、基本的に、編集対象画像表示部１５１、編集対象画像選択部１５２、入力ツール選択部１５３、制限時間表示部１５４から構成される。編集対象画像選択部１５２には、撮影されたキープ画像がサムネイル表示され、ユーザは、タッチペン２０を操作することにより、編集対象の画像（書き込みをする画像）を選択することができる。ユーザにより編集対象画像として選択された画像は、編集対象画像表示部１５１に拡大表示される。入力ツール選択部１５３には、様々な入力ツール（書き込みツール）を選択するとき操作されるボタンが表示され、ユーザは、この中から、タッチペン２０を操作して入力ツールを選択する。
【０１００】
入力ツールには、例えば、文字や図形を書き込むとき使用される「ペン」や、同一の文字や図形を入力するとき使用される「スタンプ」などがある。そして、「ペン入力モード」が選択されたとき、ペンの太さを選択するウインドウや、ペンの種類（例えば、クレヨンのように、線の一部をかすれたように表示する「クレヨンペン」）を選択するウインドウが表示される。また、「スタンプ入力モード」が選択されたときも同様に、スタンプを選択するウインドウが表示される。
【０１０１】
制限時間表示部１５４には、編集処理を行う時間として予め設定されている制限時間が表示される。この例においては、残り時間が「３０秒」として表示され、残り時間が「０秒」となったとき、強制的に編集処理が終了されるようになされている。
【０１０２】
上述したものの他に、編集画面の下方には、縦方向に表示されている編集対象画像を横方向に、またはその逆に、表示を切り替えるとき操作される画像方向切替ボタン１６１、入力した書き込みの１部分を消去するとき操作される消しゴムボタン１６２、入力した書き込みをやり直す（取り消す）とき操作されるやり直しボタン１６３、入力した書き込みを全て消去し、何も書き込まれていない画像に戻すとき操作される取り消しボタン１６４、および、編集処理を終了するとき操作される終了ボタン１６５が表示される。
【０１０３】
ステップS３４において、表示プロセッサ９２は、タッチパネル９３からの入力に基づいて、ユーザからタッチペン２０により入力された各種の指示を識別し、それに応じて編集対象画像を編集する。表示プロセッサ９２は、例えば、編集対象画像として選択された画像を、２つのフレームバッファに記憶させ、入力された編集を片方のフレームの画像に反映させる。そして、表示プロセッサ９２は、その編集が取り消されたとき（消しゴム処理が入力されたとき）、編集が反映されていないフレームの画像（もう片方の画像）の対応する部分のデータを、編集を反映させる画像のフレームに反映することにより、その編集を取り消す。
【０１０４】
ステップS３５において、表示プロセッサ９２は、タッチパネル９３からの入力に基づいて編集した画像を編集入力用モニタ１８に表示させる。すなわち、編集入力用モニタ１８には、上述した２つのフレームバッファのうちの、編集を反映した方のフレームバッファに記憶されている画像が表示され、ユーザが書き込みをしたとき、その書き込みがリアルタイムで反映されて表示される。
【０１０５】
ステップS３６において、表示プロセッサ９２は、制限時間が経過したか否か、または撮影終了ボタン１６５が操作されたか否かを判定し、制限時間が経過していない、かつ、撮影終了ボタン１６５が操作されていないと判定した場合、ステップS３４に戻り、それ以降の処理を繰り返し実行する。
【０１０６】
一方、表示プロセッサ９２は、制限時間が経過した、またはタッチパネル９３からの入力に基づいて、撮影終了ボタン１６５が操作されたと判定した場合、ステップS３７に進み、編集済みの画像データをバス９０を介してプリンタ８９に転送し、図７のステップS１３で選択された分割数のシールシートの各シールに、編集済みの画像を印刷する。
【０１０７】
例えば、図７のステップS１３において、「２８分割」（図示せず）のシールシートが選択され、かつ６種類の画像の全てを印刷することが指示された場合、表示プロセッサ９２は、１つの編集済みの画像を、４個ずつのシールに印刷する。このように、シールシート上のそれぞれのシールに印刷される画像を、ユーザが個々に選択できるようにしてもよい。プリンタ８６は、編集済みの画像を印刷したシールシートを、シール取り出し口２１に排出する。そして、図７のステップS１６以降の処理が繰り返し実行される。ユーザは、シール取り出し口２１に排出されたシールシートを受け取り、編集空間から出場する。
【０１０８】
このように、撮影空間と編集空間とを同一の場所に設けずに、別々の場所に設けることにより、先に使用をしている他のユーザがいる場合、その待ち時間を短縮することができる。それとともに、編集処理の時間を長く確保することができる。また、画像印刷装置１の管理者の側としても、ユーザの回転率が向上するため、収益率を向上させることができる。
【０１０９】
図２２は、本発明を適用した画像印刷装置１の他の構成例を示す斜視図である。図１に対応する部分については、同一の符号を付してある。
【０１１０】
図１の例においては、撮影用モニタ１４が筐体１１の面１１−２（正面側）に、編集用モニタ１８が面１１−６（側面側）にそれぞれ設置されるとしたが、この例においては、編集用モニタ１８が面１１−７（背面側）に設置されている。また、それに伴って、面１１−７には、編集案内用スピーカ１９、タッチペン２０、およびシール取り出し口２１がそれぞれ設置される。
【０１１１】
図２３は、図２２に示した画像印刷装置１の配置を上方から見た図であり、この図を参照して、ユーザの移動について説明する。斜線部１４は撮影用モニタ１４がその面に配置されることを、斜線部１８は編集入力用モニタ１８がその面に配置されることをそれぞれ示している。
【０１１２】
図２３においては、白抜き矢印がユーザの進行方向を示しており、撮影をするとき、ユーザは、筐体１１の正面側に設けられる撮影空間に入場し、撮影台７１を利用して様々なポーズを取って撮影する。
【０１１３】
撮影空間での撮影が終了したとき、撮影用モニタ１４には、筐体１１の背面側にある編集空間への案内画面が表示されるため、ユーザはこの案内に従って、白抜き矢印で示すように、撮影空間から出場して編集空間へ入場する。そして、編集対象画像を編集した後、ユーザは、シール取り出し口２１から排出されるシールシートを受け取り、編集空間から出場する。なお、図２３に示すように、背面パネル５１は、編集空間をも囲むように設置され、撮影空間と編集空間の境界部には、カーテン４２Aが設けられる。また、編集空間の出口部分には、カーテン４２Bが設けられ、外部から編集空間の内部が見えないようにされる。
【０１１４】
このように、本発明を適用した画像印刷装置は、撮影空間と編集空間とを別の位置に設けることにより、様々な構成とすることができる。
【０１１５】
図２４は、本発明を適用した画像印刷装置の他の例を示す図である。
【０１１６】
この図においては、撮影用の端末である１つの撮影装置１７１に対して、複数の編集用端末１７２−１乃至１７２−３が設けられている。すなわち、図に示すように、撮影装置１７１の周辺（正面側）が撮影空間と、編集用端末１７２−１乃至１７２−３のそれぞれの周辺（正面側）が編集空間とされる。
【０１１７】
撮影装置１７１と編集用端末１７２−１乃至１７２−３は、ケーブル１７３−１乃至１７３−３でそれぞれ接続されており、撮影装置１７１において撮影された画像データ（上述したキープ画像データ）は、撮影処理が終了されたとき、ケーブル１７３−１乃至１７３−３を介して編集用端末１７２−１乃至１７２−３に適宜転送される。当然、無線で転送されるようにしてもよい。
【０１１８】
撮影空間において自らの画像を撮影したユーザは、撮影装置１７１に設置される撮影用モニタ１４に、編集用端末１７２−１乃至１７２−３のいずれかの編集用端末に移動することを促す画面が表示されるため、それに従って移動する。すなわち、編集用端末１７２−１乃至１７３のそれぞれには、識別情報が設定されており、移動を促す画面には、その編集用端末１７２−１乃至１７３の識別情報も表示される。
【０１１９】
例えば、編集用端末１７２−１乃至１７２−３のそれぞれに、識別情報として１乃至３の番号が用意されており、編集用端末１７２−１を使用して編集していたユーザがその処理を終えたとき、撮影空間で撮影を終えたユーザに対しては、「１番の編集用端末で編集ができるよ」などのメッセージが表示される。一般的に、撮影処理にかかる時間に対して編集処理にかかる時間の方が長いため、このように、１台の撮影装置１７１に対して編集用端末を複数設けることにより、待ち時間をより短縮させることができ、それとともに、編集処理の時間を長く設定することができる。
【０１２０】
また、複数台の撮影装置１７１が設置され、撮影を終了したユーザは、適宜、開いている（使用されていない）編集用端末１７２−１乃至１７２−３に移動するようにしてもよい。
【０１２１】
以上においては、編集用空間の編集入力用モニタ１８の下方にシール取り出し口２１が設けられるとしたが、シールシートの排出口が設けられる空間をさらに別の位置に設けるようにしてもよい。例えば、図１の画像印刷装置１において、シール取り出し口２１が背面側に設置され、編集処理が終了したとき、ユーザに対して、背面側への移動を促す画面が編集入力用モニタ１８に表示される。これにより、編集済みの画像をシールシートにプリントする時間の分だけ、他のユーザの待ち時間を短縮することが可能となり、回転率が向上する。
【０１２２】
図２５（A），（B）は、上述した画像印刷装置により作成される印刷媒体（シールシート）の例を示す図である。
【０１２３】
図２５（A）は、例えば、ユーザにより６分割のシールシートが選択された場合とされており、シールシート上のそれぞれのシールに、異なった画像がそれぞれ印刷されている。すなわち、上述したように、ユーザは、印刷する画像を複数種類、キープ画像として撮影することができ、この例においては、６種類の画像を撮影した場合とされている。
【０１２４】
図２５（B）は、例えば、ユーザにより、図１５の選択画面から、「混合分割」が選択された場合とされており、シールシート上の、２枚の大きいサイズのシールと、３枚の小さいサイズのシールとをそれぞれ１組として、それぞれの組のシールに、異なった画像が印刷されている。すなわち、この場合も、ユーザは、６種類の画像を撮影した場合とされている。
【０１２５】
このように、ユーザは、撮影した複数種類の画像をシールシートに印刷することができる。
【０１２６】
また、印刷媒体は、シールシートに限られるものではなく、例えば、所定のサイズの紙や、ポスター用の紙などに印刷するようにしてもよい。また、撮影した画像データを、ユーザが自ら用意したフロッピディスクなどの記録媒体に記録させることができるようにしてもよい。
【符号の説明】
【０１２７】
１  画像印刷装置
１３  撮影案内用スピーカ
１４  撮影用モニタ
１５  操作パネル
１８  編集入力用モニタ
１９  編集案内用スピーカ
２０  タッチペン
２１  シール取り出し口
３１  撮影装置
３２  CCDカメラ
８１  CPU
８２  ROM
８３  RAM
８９  プリンタ
９１  音声出力制御部
９２  表示プロセッサ
９４  音声出力制御部
【図１】
2011211714.tif 000003
【図２】
2011211714.tif 000004
【図３】
2011211714.tif 000005
【図４】
2011211714.tif 000006
【図５】
2011211714.tif 000007
【図６】
2011211714.tif 000008
【図７】
2011211714.tif 000009
【図８】
2011211714.tif 000010
【図９】
2011211714.tif 000011
【図１０】
2011211714.tif 000012
【図１１】
2011211714.tif 000013
【図１２】
2011211714.tif 000014
【図１３】
2011211714.tif 000015
【図１４】
2011211714.tif 000016
【図１５】
2011211714.tif 000017
【図１６】
2011211714.tif 000018
【図１７】
2011211714.tif 000019
【図１８】
2011211714.tif 000020
【図１９】
2011211714.tif 000021
【図２０】
2011211714.tif 000022
【図２１】
2011211714.tif 000023
【図２２】
2011211714.tif 000024
【図２３】
2011211714.tif 000025
【図２４】
2011211714.tif 000026
【図２５】
2011211714.tif 000027